(57)【要約】      （修正有）【課題】融雪ヒータの上面の段差を小さくして、段差に躓くことなく融雪ヒータの上面を歩くことができる融雪ヒータを提供する。【解決手段】互いに平行な複数の直線部３１と該直線部の間で屈曲された複数の屈曲部３２とを形成するように蛇行させて配置した偏平な線状ヒータ３０を備えた融雪ヒータ１０が、複数の直線部の幅方向に沿う下端面を支持する平板１５と、平板の上面に設けられ直線部を覆う複数の長尺フレーム２０と、平板の両端部に設けられ屈曲部を収容する一対のサイドフレーム２５と、を備え、サイドフレームの上壁２６は、長尺フレームの上に配置され、サイドフレームの底壁２８は、平板よりも下方に位置し、サイドフレームの上壁と底壁との間に屈曲部を収容する収容空間Ａ２が画定されている構成にした。【選択図】図６
0003221700.tif 000002
【実用新案登録請求の範囲】
【請求項１】
互いに平行な複数の直線部と該直線部の間で屈曲された複数の屈曲部とを形成するように蛇行させて配置した偏平な線状ヒータを備えた融雪ヒータであって、
前記複数の直線部の幅方向に沿う下端面を支持する平板と、
前記平板の上面に設けられ前記直線部を覆う複数の長尺フレームと、
前記平板の両端部に設けられ前記屈曲部を収容する一対のサイドフレームと、を備え、
前記サイドフレームの上壁は、前記長尺フレームの上に配置され、
前記サイドフレームの底壁は、前記平板よりも下方に位置し、
前記サイドフレームの前記上壁と前記底壁との間に前記屈曲部を収容する収容空間が画定されていることを特徴とする融雪ヒータ。
【請求項２】
前記一対のサイドフレームの間において前記平板の下面側に補強材を備えたことを特徴とする請求項１に記載の融雪ヒータ。
【請求項３】
前記平板の下面から前記一対のサイドフレームの下面が突き出した突出量が前記補強材の厚さに一致することを特徴とする請求項２に記載の融雪ヒータ。
【請求項４】
前記補強材が、断熱板であることを特徴とする請求項２又は請求項３に記載の融雪ヒータ。
【請求項５】
前記補強材が、長尺の複数の補強フレームであることを特徴とする請求項２又は請求項３に記載の融雪ヒータ。
【請求項６】
前記補強材が、繊維強化樹脂製のグレーチング板であることを特徴とする請求項２又は請求項３に記載の融雪ヒータ。
【請求項７】
隣り合う前記長尺フレームの間から前記平板の上面が露出していることを特徴とする請求項１から請求項６のいずれか一項に記載の融雪ヒータ。
【請求項８】
前記線状ヒータが、正温度係数特性を持ったＰＴＣ素子を有する線状ＰＴＣヒータであることを特徴とする請求項１から請求項７のいずれか一項に記載の融雪ヒータ。
【請求項９】
前記複数の長尺フレームの上面及び前記一対のサイドフレームの上面には滑り止めテープが貼着されていることを特徴とする請求項１から請求項８のいずれか一項に記載の融雪ヒータ。
【請求項１０】
前記線状ヒータが断面視にて厚さよりも幅が大きく形成され、前記複数の直線部は前記線状ヒータの幅が前記平板に平行な横向きになり、前記複数の屈曲部は前記線状ヒータの幅が縦向きになるように捩れており、
前記複数の長尺フレームには、前記線状ヒータの厚さに一致する高さと、前記線状ヒータの幅に一致する幅とを有する収容空間が形成されており、
前記一対のサイドフレームの収容空間は、前記複数の長尺フレームの収容空間に連なり、前記線状ヒータの幅以上の高さに形成されていることを特徴とする請求項１から請求項９のいずれか一項に記載の融雪ヒータ。
【考案の詳細な説明】
【技術分野】
【０００１】
本考案は、融雪ヒータに関する。
【背景技術】
【０００２】
雪害からの建屋施設の保護や除雪作業の負担を軽減するために融雪ヒータが使用されている。この種の融雪ヒータとして、線状ヒータが蛇行形状、すなわち平行に並んだ複数の直線部を複数の屈曲部によって連ねた形状になるように収容されたものが知られている（例えば、特許文献１参照）。特許文献１に記載の融雪ヒータは、線状ヒータを支持する平板の上面に線状ヒータの直線部を覆う複数の長尺フレームが平行かつ所定間隔を空けて取り付けられ、平板の両サイドに線状ヒータの屈曲部を収容するサイドフレームが取り付けられている。このような融雪ヒータは施設の屋根だけでなく歩道に設置される場合がある。
【先行技術文献】
【特許文献】
【０００３】
【特許文献１】特許第６３０９８７９号公報
【考案の概要】
【考案が解決しようとする課題】
【０００４】
特許文献１に記載の線状ヒータは断面視にて厚さよりも幅が大きく形成され、線状ヒータの直線部では線状ヒータの幅が平板に平行な横向きになり、線状ヒータの屈曲部では線状ヒータの幅が縦向きになるように捩れている。サイドフレームには線状ヒータの捩れた屈曲部が収容されるため、長尺フレームよりもサイドフレームの高さ寸法が大きく確保される。このため、サイドフレームの上面が長尺フレームの上面から大きく突き出し、サイドフレームの上面と長尺フレームの上面からなる融雪ヒータの上面に段差が形成される。この融雪ヒータが歩道に設置されると、融雪ヒータに人が乗って歩くときに段差に躓くおそれがあった。
【０００５】
本考案は、上記事情に鑑みてなされたものであり、融雪ヒータの上面の段差を小さくして、段差に躓くことなく融雪ヒータの上面を歩くことができる融雪ヒータを提供することを課題とする。
【課題を解決するための手段】
【０００６】
本考案による融雪ヒータは、互いに平行な複数の直線部と該直線部の間で屈曲された複数の屈曲部とを形成するように蛇行させて配置した偏平な線状ヒータを備えた融雪ヒータであって、前記複数の直線部の幅方向に沿う下端面を支持する平板と、前記平板の上面に設けられ前記直線部を覆う複数の長尺フレームと、前記平板の両端部に設けられ前記屈曲部を収容する一対のサイドフレームと、を備え、前記サイドフレームの上壁は、前記長尺フレームの上に配置され、前記サイドフレームの底壁は、前記平板よりも下方に位置し、前記サイドフレームの前記上壁と前記底壁との間に前記屈曲部を収容する収容空間が画定されていることを特徴とする。
【０００７】
この構成によれば、長尺フレームの上にサイドフレームの上壁が配置され、サイドフレームの底壁が平板よりも下方に位置して、線状ヒータの複数の屈曲部を収容する収容空間がサイドフレームの下面側に広く確保される。長尺フレームの上面に対するサイドフレームの上面の突出量が小さくなり、サイドフレームの上面と長尺フレームの上面からなる融雪ヒータの上面の段差が小さくなる。よって、融雪ヒータの上面に人が乗って歩いても、人が融雪ヒータの上面の段差に躓くことが防止される。
【０００８】
本考案による融雪ヒータの一態様では、前記一対のサイドフレームの間において前記平板の下面側に補強材を備えている。この構成によれば、一対のサイドフレームによって両持ちで平板を支持した融雪ヒータの曲げ剛性が補強材によって高められる。補強材によって融雪ヒータの曲げ剛性が高められた分だけ、平板及び長尺フレームを薄くして、線状ヒータから平板及び長尺フレームに伝わる熱によって融雪ヒータを短時間で温めることができる。
【０００９】
本考案による融雪ヒータの一態様では、前記平板の下面から前記一対のサイドフレームの下面が突き出した突出量が前記補強材の厚さに一致する。この構成によれば、融雪ヒータが設置される設置面と平板の下面の間の空間を補強材によって埋めることで、融雪ヒータの曲げ剛性を高めることができる。
【００１０】
本考案による融雪ヒータの一態様では、前記補強材が、断熱板である。この構成によれば、断熱板によって融雪ヒータの曲げ剛性を高めると共に平板の下面側から熱が放射されることを防ぎ、線状ヒータの電気使用量を削減することができる。
【００１１】
本考案による融雪ヒータの一態様では、前記補強材が、長尺の複数の補強フレームである。この構成によれば、複数の補強フレームによって融雪ヒータの曲げ剛性を高めることができる。
【００１２】
本考案による融雪ヒータの一態様では、前記補強材が、繊維強化樹脂製のグレーチング板である。この構成によれば、グレーチング板が繊維強化樹脂によって形成されているため、融雪ヒータの重量の増加を抑えつつ、融雪ヒータの曲げ剛性を高めることができる。
【００１３】
本考案による融雪ヒータの一態様では、隣り合う前記長尺フレームの間から前記平板の上面が露出している。この構成によれば、平板の上面全域を長尺フレームによって覆う構成と比較して熱容量が小さく、線状ヒータから平板及び長尺フレームに伝わる熱によって融雪ヒータを短時間で温めることができる。
【００１４】
本考案による融雪ヒータの一態様では、前記線状ヒータが、正温度係数特性を持ったＰＴＣ素子を有する線状ＰＴＣヒータである。この構成によれば、線状ヒータの正温度係数（ＰＴＣ：Positive  Temperature  Coefficient）特性によって環境温度の変化に合わせて、常に一定温度を維持するように自動的に温度が調整される。このため、線状ヒータに必要以上の発熱量が無く、エネルギーの消費を抑えることができる。
【００１５】
本考案による融雪ヒータの一態様では、前記複数の長尺フレームの上面及び前記一対のサイドフレームの上面には滑り止めテープが貼着されている。この構成によれば、雨天や降雪時に融雪ヒータの上面におけるスリップが防止される。
【００１６】
本考案による融雪ヒータの一態様では、前記線状ヒータが断面視にて厚さよりも幅が大きく形成され、前記複数の直線部は前記線状ヒータの幅が前記平板に平行な横向きになり、前記複数の屈曲部は前記線状ヒータの幅が縦向きになるように捩れており、前記複数の長尺フレームには、前記線状ヒータの厚さに一致する高さと、前記線状ヒータの幅に一致する幅とを有する収容空間が形成されており、前記一対のサイドフレームの収容空間は、前記複数の長尺フレームの収容空間に連なり、前記線状ヒータの幅以上の高さに形成されている。この構成によれば、長尺フレームに線状ヒータの外周面が接することで、線状ヒータの発熱が長尺フレームにダイレクトに伝えられて、融雪ヒータを短時間で温めることができる。また、線状ヒータが断面視にて厚さよりも幅が大きく形成されているため、複数の屈曲部で線状ヒータが捩れるが、一対のサイドフレームの収容空間に線状ヒータの捩れを収容することができる。
【考案の効果】
【００１７】
本考案の融雪ヒータによれば、融雪ヒータの上面の段差を小さくして、融雪ヒータの上面に人が乗って歩いても、人が融雪ヒータの上面の段差に躓くことが防止される。
【図面の簡単な説明】
【００１８】
【図１】第１の実施形態に係る融雪ヒータの全体斜視図。
【図２】第１の実施形態に係る融雪ヒータの部分斜視図。
【図３】第１の実施形態に係る融雪ヒータの断面斜視図。
【図４】第１の実施形態に係る線状ヒータの屈曲部の斜視図。
【図５】比較例に係る融雪ヒータの側面模式図。
【図６】第１の実施形態に係る融雪ヒータの断面模式図。
【図７】第２の実施形態に係る融雪ヒータの全体斜視図。
【図８】第３の実施形態に係る融雪ヒータの全体斜視図。
【考案を実施するための形態】
【００１９】
［第１の実施形態］
以下、図面を参照しながら、第１の実施形態に係る融雪ヒータについて説明する。
【００２０】
図１は、第１の実施形態に係る融雪ヒータの全体斜視図である。図２は、第１の実施形態に係る融雪ヒータの部分斜視図である。図３は、第１の実施形態に係る融雪ヒータの断面斜視図である。図４は、第１の実施形態に係る線状ヒータの屈曲部の斜視図である。図５は、比較例に係る融雪ヒータの側面模式図である。また、図２においては、説明の便宜上、滑り止めテープを省略している。
【００２１】
図１及び図２に示すように、融雪ヒータ１０は、各種施設を雪害から保護するものであり、線状ヒータ３０を蛇行させた状態で収容して、線状ヒータ３０の発熱を融雪ヒータ１０の上面に伝えるように形成されている。融雪ヒータ１０には線状ヒータ３０を支持する平板１５が設けられている。平板１５は、伝熱性材料によって平面視長方形の板状に形成されている。平板１５は剛性を確保できる範囲で薄く形成されており、平板１５が薄くなることで熱容量を小さくして線状ヒータ３０の発熱を伝え易くしている。平板１５としては、伝熱性と剛性を考慮して、例えば、厚さ１［ｍｍ］のアルミニウム板が使用される。
【００２２】
平板１５の上面には、当該平板１５の長手方向に沿って延びる複数の長尺フレーム２０が設けられている。各長尺フレーム２０は、伝熱性材料の押出成形によって断面視ハット型（図３参照）に形成されており、平板１５の長手方向に沿って延びる上壁２１と、上壁２１の長手方向に沿う側辺から下方に延びる一対の側壁２２と、一対の側壁２２の下端から側方に延びる一対の底壁２３とを有している。複数の長尺フレーム２０は平板１５の上面に対して平行かつ所定間隔を空けて平板１５の上面に取り付けられて、各長尺フレーム２０と平板１５によって線状ヒータ３０を収容する収容空間が形成されている。
【００２３】
隣り合う長尺フレーム２０は間を空けて配置されており、この長尺フレーム２０の間から平板１５の上面が露出している。これにより、平板１５の上面全域を長尺フレーム２０によって完全に覆う構成と比較して熱容量が小さくなり、線状ヒータ３０から平板１５及び長尺フレーム２０に伝わる熱によって融雪ヒータ１０が短時間で温められる。平板１５に対してハット型の複数の長尺フレーム２０が取り付けられることで、融雪ヒータ１０の長手方向における曲げ剛性が高められている。長尺フレーム２０としては、伝熱性と剛性を考慮して、例えば、厚さ２［ｍｍ］のアルミニウム製のハット型押出成形品が使用される。
【００２４】
平板１５の長手方向の両端部には、当該平板１５の短手方向に沿って延びる一対のサイドフレーム２５が設けられている。各サイドフレーム２５は、伝熱性材料によってボックス状に形成されており、平板１５の短手方向に沿って延びる上壁２６と、上壁２６の平板１５側の一側辺を除く各側辺から下方に延びる３つの周壁２７と、上壁２６に対向する底壁２８とを有している。各サイドフレーム２５の平板１５側の一辺には長尺ブロック２９が設けられ、長尺ブロック２９にはサイドフレーム２５の内側と長尺フレーム２０の内側を連通させる開口（不図示）が形成されている。平板１５に一対のサイドフレーム２５が取り付けられることで、融雪ヒータ１０の短手方向における曲げ剛性が高められている。
【００２５】
融雪ヒータ１０には、平板１５に対して長尺フレーム２０とサイドフレーム２５が設けられることで線状ヒータ３０の敷設経路が形成されている。この場合、線状ヒータ３０は、互いに平行な複数の直線部３１と複数の直線部３１の間で屈曲された複数の屈曲部３２とを形成するように蛇行している。複数の屈曲部３２が平板１５の長手方向の両端部から外方に食み出た状態で、平板１５の上面によって複数の直線部３１が支持されている。また、複数の長尺フレーム２０によって平板１５の上面の複数の直線部３１が覆われ、一対のサイドフレーム２５に平板１５から食み出た複数の屈曲部３２が収容されている。
【００２６】
図３に示すように、線状ヒータ３０は、ＰＴＣ特性（正温度係数特性）を利用した自己温度制御型の線状ＰＴＣヒータであり、一対の給電線３３の間に熱源となるＰＴＣ素子３４が配設されている。ＰＴＣ素子３４は接続端子を介して一対の給電線３３に接続されており、これら線状ヒータ３０の内部構造が柔軟性を有する絶縁性樹脂の被覆層３５によって被覆されている。なお、ＰＴＣ素子３４としては、例えば、チタン酸バリウムを主成分とするセラミックス系材料によって平面視長方形の板状素子が使用される。また、被覆層３５としては、例えば、柔軟性及び絶縁性に優れた塩化ビニル系樹脂が使用される。
【００２７】
また、線状ヒータ３０は厚さＷ１よりも幅Ｗ２が大きな偏平形状に形成されており、複数の直線部３１の幅方向に沿う下端面が平板１５によって支持されている。この線状ヒータ３０の厚さＷ１及び幅Ｗ２に合わせて長尺フレーム２０の寸法が設計されており、長尺フレーム２０の上壁２１と平板１５の間隔が線状ヒータ３０の厚さＷ１に一致し、長尺フレーム２０の一対の側壁２２の間隔が線状ヒータ３０の幅Ｗ２に一致している。これにより、線状ヒータ３０の外周面が長尺フレーム２０の内周面と平板１５の上面に接して、線状ヒータ３０の発熱が長尺フレーム２０及び平板１５にダイレクトに伝えられて融雪ヒータ１０が短時間で温められる。
【００２８】
このような線状ヒータ３０では、給電線３３が通電されることでＰＴＣ素子３４が発熱して、ＰＴＣ素子３４から被覆層３５に熱が伝えられて被覆層３５の外面全体が均一に温められる。線状ヒータ３０の発熱が平板１５及び長尺フレーム２０に伝わり、融雪ヒータ１０の上面全域が効果的に温められる。融雪ヒータ１０の上面に付着した雪が直ちに溶かされるため、融雪ヒータ１０の上面に積雪することが防止される。このとき、ＰＴＣ素子３４のＰＴＣ特性によって環境温度の変化に合わせて、常に一定温度を維持するように自動的に温度が調整される。このため、必要以上の発熱量が無く、エネルギーの消費を抑えることができる。
【００２９】
また、融雪ヒータ１０は、屋根等に設置されるだけでなく、道路脇の歩道等に設置される場合がある。すなわち、融雪ヒータ１０の上面は人が乗って歩くことができる路面になっている。融雪ヒータ１０の上面は、複数の長尺フレーム２０の上面及び一対のサイドフレーム２５（図２参照）の上面によって形成されており、各長尺フレーム２０の上面及び各サイドフレーム２５の上面には複数の滑り止めテープ１９（図１参照）が貼着されている。滑り止めテープ１９の上面は粗面に形成されており、滑り止めテープ１９の粗面が歩行者の靴裏に接することで雨天や降雪時のスリップが防止される。
【００３０】
ところで、図４に示すように、線状ヒータ３０の厚さＷ１（図３参照）よりも幅Ｗ２（図３参照）が大きいため、融雪ヒータ１０に線状ヒータ３０を蛇行させるように敷設すると屈曲部３２に捩れが生じる。すなわち、直線部３１では幅Ｗ２が平板１５に平行な横向きであるが、屈曲部３２では幅Ｗ２が略縦向きになるように捩れが生じる。このため、サイドフレーム２５（図２参照）には、線状ヒータ３０の捩れた箇所を収容できるように、線状ヒータ３０の幅Ｗ２以上の高さの収容空間が必要になる。一方で長尺フレーム２０には、線状ヒータ３０の厚さＷ１を収容可能な高さの収容空間があればよいため、サイドフレーム２５の高さよりも長尺フレーム２０の高さが小さくなる。
【００３１】
この場合、図５の比較例の融雪ヒータ６０に示すように、平板６１の下面と一対のサイドフレーム６３の下面が面一になるように、平板６１に一対のサイドフレーム６３が設けられると、サイドフレーム６３の上面と長尺フレーム６２の上面の間に大きな段差６４が形成される。融雪ヒータ６０が歩道等に設置された場合には、融雪ヒータ６０の上面に乗って歩く人が段差６４に躓く恐れがある。また、融雪ヒータ６０の下面全体が設置面３９に設置されるため、融雪ヒータ６０の熱が平板６１から設置面３９に逃げる。融雪ヒータ６０の下面に断熱板を設ける構成も考えられるが、断熱板の分だけ融雪ヒータ６０の全体が厚くなって意匠性が悪化する。
【００３２】
そこで、本実施形態では、平板１５を一対のサイドフレーム２５の上面側に近づけて、融雪ヒータ１０の上面の段差３６（図６参照）を小さくすることで、人が融雪ヒータ１０の上面を歩いても段差３６に躓き難くしている。平板１５の下面が設置面３９から離れるため、融雪ヒータ１０の熱が平板１５から設置面３９に逃げることが防止される。さらに、平板１５を設置面３９から浮かせた状態では、融雪ヒータ１０の上面に人が乗った場合に十分な剛性が確保できない恐れがある。このため、平板１５の下面側には融雪ヒータ１０の曲げ剛性を確保すると共に断熱性を高める補強材として断熱板１７（図１参照）が設けられている。
【００３３】
以下、図６を参照して、第１の実施形態に係る融雪ヒータについて詳細に説明する。図６は、第１の実施形態に係る融雪ヒータの断面模式図である。
【００３４】
図６に示すように、融雪ヒータ１０は、一対のサイドフレーム２５によって平板１５が両持ちで支持されている。平板１５の上面には複数の長尺フレーム２０が取り付けられており、平板１５の上面と各長尺フレーム２０の内面によって線状ヒータ３０の直線部３１の収容空間Ａ１が形成されている。長尺フレーム２０の内側の収容空間Ａ１は、上記したように線状ヒータ３０の厚さＷ１と幅Ｗ２に合わせて、厚さＷ１に一致する高さと幅Ｗ２に一致する幅を有している。このため、線状ヒータ３０は、幅Ｗ２を平板１５に平行にした横向き姿勢で、平板１５の上面に対して長尺フレーム２０に沿って直線状に敷設されている。
【００３５】
線状ヒータ３０は平板１５から一対のサイドフレーム２５の内部に食み出しており、この平板１５から食み出た箇所において線状ヒータ３０が屈曲されている。線状ヒータ３０の厚さＷ１よりも幅Ｗ２が大きいため、線状ヒータ３０を屈曲させる際に捩れが生じている（図４参照）。線状ヒータ３０が捩れながら屈曲することによって、線状ヒータ３０の幅Ｗ２が横向きから縦向きに起こされる。このため、一対のサイドフレーム２５には、上壁２６、周壁２７、底壁２８によって、線状ヒータ３０の半径方向において最も大きな幅Ｗ２以上の高さの収容空間Ａ２が各長尺フレーム２０の収容空間Ａ１に連なるように形成されている。より詳細には、サイドフレーム２５の上壁２６は長尺フレーム２０上に配置され、一対のサイドフレーム２５の底壁２８は平板１５よりも下方に位置し、上壁２６と底壁２８の間に屈曲部３２を収容する収容空間Ａ２が画定されている。
【００３６】
このとき、長尺フレーム２０の上面からサイドフレーム２５の上面が突き出した突出量Ｌ１よりも、平板１５の下面からサイドフレーム２５の下面が突き出した突出量Ｌ２が大きくなっている。これにより、長尺フレーム２０の上面に対するサイドフレーム２５の上面の段差３６を最小限に抑えつつ、線状ヒータ３０の屈曲部３２を収容する収容空間Ａ２をサイドフレーム２５の下面側に広く形成できる。なお、線状ヒータ３０の捩れ方は様々であり、二点鎖線に示すように線状ヒータ３０が上方に撓む場合があるが、このような場合でも線状ヒータ３０の柔軟性によってサイドフレーム２５の内側に屈曲部３２が収容される。
【００３７】
融雪ヒータ１０は、平板１５の下面側に補強材としての断熱板１７を挟んで設置面３９に固定されている。断熱板１７は発泡樹脂によって平面視にて平板１５と略同形の外形形状を有し、断熱板１７の厚さは平板１５の下面からサイドフレーム２５の下面が突き出した突出量Ｌ２に一致している。融雪ヒータ１０が設置される設置面３９と平板１５の下面の空間が発泡樹脂製の断熱板１７によって埋められることで、融雪ヒータ１０の重量の増加を抑えつつ曲げ剛性を高めることができる。融雪ヒータ１０の曲げ剛性が高められた分だけ、平板１５及び長尺フレーム２０を薄くして融雪ヒータ１０を短時間で温めることができる。
【００３８】
融雪ヒータ１０が作動されると、線状ヒータ３０が発熱して、線状ヒータ３０から平板１５及び長尺フレーム２０に熱が伝えられる。このとき、平板１５の下面に断熱板１７が取り付けられているため、平板１５の下面側から熱が放射されることを防ぎ、線状ヒータ３０の電気使用量を削減することができる。よって、線状ヒータ３０から平板１５及び長尺フレーム２０に伝わった熱によって効果的に融雪されて、融雪ヒータ１０の上面を雪から露出させることができる。融雪ヒータ１０の上面の段差３６が小さいため、融雪ヒータ１０の上面を段差３６に躓くことなく歩くことができる。
【００３９】
また、融雪ヒータ１０は、平板１５及び断熱板１７に形成された通し穴を介して複数のアンカーボルト３８（図１参照）によって設置面３９に固定される。この場合、平板１５と断熱板１７の４箇所でアンカーボルト３８によって固定すればよいため、設置面３９に対して融雪ヒータ１０を容易に設置することができる。また、平板１５の通し穴は、融雪ヒータ１０の上面に溜まった水の排水穴として利用することができる。なお、断熱板１７の材質及び平面形状は、平板１５の下面側において融雪ヒータ１０を補強可能であり、さらに断熱性能を有していれば、特に限定されない。
【００４０】
以上説明したように、第１の実施形態に係る融雪ヒータ１０によれば、長尺フレーム２０の上にサイドフレーム２５の上壁２６が配置され、サイドフレーム２５の底壁２８が平板１５よりも下方に位置して、線状ヒータ３０の複数の屈曲部３２を収容する収容空間Ａ２がサイドフレーム２５の下面側に広く確保される。長尺フレーム２０の上面に対するサイドフレーム２５の上面の突出量が小さくなり、サイドフレーム２５の上面と長尺フレーム２０の上面からなる融雪ヒータ１０の上面の段差が小さくなる。よって、融雪ヒータ１０の上面に人が乗って歩いても、人が融雪ヒータ１０の上面の段差３６に躓くことが防止される。
【００４１】
［第２の実施形態］
図７を参照して、第２の実施形態に係る融雪ヒータについて説明する。第２の実施形態に係る融雪ヒータは、補強材として断熱板の代わりに長尺の複数の補強フレームを使用した点で相違している。したがって、第１の実施形態と同様な構成については同じ符号を付すことで説明を省略する。図７は、第２の実施形態に係る融雪ヒータの全体斜視図である。
【００４２】
図７に示すように、融雪ヒータ４０は、平板１５の下面側に複数の補強フレーム４１を挟んで設置面３９に固定されている。複数の補強フレーム４１は金属によって角筒状に形成されており、長尺フレーム２０に直交する平板１５の短手方向に沿って平行に並んでいる。各補強フレーム４１の長さは平板１５の短手方向の長さに一致し、各補強フレーム４１の厚さは平板１５の下面からサイドフレーム２５の下面が突き出した突出量Ｌ２（図６参照）に一致している。融雪ヒータ４０は、平板１５及び各補強フレーム４１に形成された通し穴（不図示）を介して多数のアンカーボルト３８によって設置面３９に固定される。
【００４３】
第２の実施形態に係る融雪ヒータ４０によれば、第１の実施形態と同様に、融雪ヒータ４０の上面の段差を小さくして、融雪ヒータ４０の上面に人が乗って歩いても、融雪ヒータ４０の上面の段差に人が躓くことが防止される。また、一対のサイドフレーム２５の間において、平板１５と設置面３９の間に複数の補強フレーム４１が設置されている。このとき、各補強フレーム４１が各長尺フレーム２０に直交するように延在しているため、融雪ヒータ４０の長手方向及び短手方向の曲げ剛性を高めることができる。なお、補強フレーム４１の材質及び断面形状は、平板１５の下面側において融雪ヒータ４０を補強可能であれば、特に限定されない。
【００４４】
［第３の実施形態］
図８を参照して、第３の実施形態に係る融雪ヒータについて説明する。第３の実施形態に係る融雪ヒータは、補強材として断熱板の代わりに繊維強化樹脂製のグレーチング板を使用した点で相違している。したがって、第１の実施形態と同様な構成については同じ符号を付すことで説明を省略する。図８は、第３の実施形態に係る融雪ヒータの全体斜視図である。
【００４５】
図８に示すように、融雪ヒータ５０は、平板１５の下面側にグレーチング板５１を挟んで設置面３９に固定されている。グレーチング板５１は繊維強化樹脂によって格子状に形成されており、一対のサイドフレーム２５の間に配置されている。グレーチング板５１は平面視にて平板１５と略同形の外形形状を有し、グレーチング板５１の厚さは平板１５の下面からサイドフレーム２５の下面が突き出した突出量に一致している。融雪ヒータ５０は、平板１５に形成された通し穴（不図示）及びグレーチング板５１の格子の開口を介して複数のアンカーボルト３８によって設置面３９に固定される。
【００４６】
第３の実施形態に係る融雪ヒータ５０によれば、第１の実施形態と同様に、融雪ヒータ５０の上面の段差を小さくして、融雪ヒータ５０の上面に人が乗って歩いても、融雪ヒータ５０の上面の段差に人が躓くことが防止される。また、一対のサイドフレーム２５の間において、平板１５と設置面３９の間に繊維強化樹脂製のグレーチング板５１が設置されている。このため、融雪ヒータ５０の重量の増加を抑えつつ、融雪ヒータ５０の曲げ剛性を高めることができる。
【００４７】
なお、各実施形態では、長尺フレーム２０が断面視ハット型に形成される構成について説明したが、この構成に限定されない。長尺フレーム２０は、線状ヒータ３０の直線部３１を覆うように平板１５の上面に設けられる構成であればよく、例えば、角筒状に形成されていてもよい。
【００４８】
また、各実施形態では、平板１５の下面側に補強材として断熱板１７、複数の補強フレーム４１、グレーチング板５１が設置される構成にしたが、この構成に限定されない。補強材は、融雪ヒータ１０、４０、５０を補強可能であれば、特に材質及び形状は限定されない。
【００４９】
また、各実施形態では、補強材の厚さが平板１５の下面からサイドフレーム２５の下面が突き出した突出量に一致する構成にしたが、この構成に限定されない。補強材が平板１５の下面からサイドフレーム２５の下面が突き出した突出量よりも薄くてもよい。この場合、補強材が平板１５の下面に取り付けられて融雪ヒータ１０、４０、５０を補強する。
【００５０】
また、各実施形態では、隣り合う長尺フレーム２０の間から平板１５の上面が露出する構成にしたが、この構成に限定されない。複数の長尺フレーム２０が平板１５の上面に隙間なく設けられていてもよいし、複数の長尺フレーム２０が一体的に形成されていてもよい。
【００５１】
また、各実施形態では、線状ヒータ３０として線状ＰＴＣヒータを例示して説明したが、この構成に限定されない。線状ヒータ３０は、融雪ヒータ１０に対して蛇行した状態で設置可能であればよい。
【００５２】
また、本開示の技術は上記の実施の形態に限定されるものではなく、技術的思想の趣旨を逸脱しない範囲において様々に変更、置換、変形されてもよい。さらには、技術の進歩又は派生する別技術によって、技術的思想を別の仕方によって実現することができれば、その方法を用いて実施されてもよい。したがって、実用新案登録請求の範囲は、技術的思想の範囲内に含まれ得る全ての実施態様をカバーしている。
【符号の説明】
【００５３】
１０…融雪ヒータ
１５…平板
１７…断熱板（補強材）
１９…滑り止めテープ
２０…長尺フレーム
２５…サイドフレーム
２６…サイドフレームの上壁
２８…サイドフレームの底壁
３０…線状ヒータ
３１…線状ヒータの直線部
３２…線状ヒータの屈曲部
３４…ＰＴＣ素子
４０…融雪ヒータ
４１…補強フレーム（補強材）
５０…融雪ヒータ
５１…グレーチング板（補強材）
【図１】
0003221700.tif 000003
【図２】
0003221700.tif 000004
【図３】
0003221700.tif 000005
【図４】
0003221700.tif 000006
【図５】
0003221700.tif 000007
【図６】
0003221700.tif 000008
【図７】
0003221700.tif 000009
【図８】
0003221700.tif 000010